(57)【要約】【課題】異なるサイズおよび厚さのコインをハウジングと共に個別化し、傾斜して配置されたベースプレートを含むものが提案されている。【解決手段】コインを更に処理するためコインを捕捉し且つ搬送する捕捉要素が前記ベースプレートの上方に回転可能に配置されている。コインは、収集容器と結合している前記ベースプレートの下方領域に少なくともランダムに存在している。フラップは、前記ベースプレートに配置され、フラップは、捕捉されたコインを更に誘導するために駆動された補捉要素と同期して開閉する。【選択図】図１
2009516874.tif 000002
【特許請求の範囲】
【請求項１】
異なるサイズおよび厚さのコインをハウジングと共に個別化し、傾斜して配置されたベースプレートを含み、コインを更に処理するためコインを捕捉し且つ搬送する捕捉要素が前記ベースプレートの上方に回転可能に配置され、前記コインが前記ベースプレートの下方領域に少なくともランダムに存在するコイン個別化装置であって、フラップ（１８）が前記ベースプレート（３）に配置され、該フラップは、捕捉されたコインを更に誘導するために駆動された補捉要素（９）と同期して開閉することを特徴とするコイン個別化装置。
【請求項２】
前記異なるコインをランダムに受けとる為の収集容器（５）が前記筐体（１）上に配置されていることを特徴とする請求項１に記載の装置。
【請求項３】
前記捕捉要素がベースプレート（３）に回転自在に支持されていることを特徴とする請求項１または２に記載の装置。
【請求項４】
少なくとも一つの突出したカム（１６）が前記捕捉要素（９）の上に配置され、且つ前記捕捉要素（９）および前記フラップ（１８）の間で同期して開閉するために、前記フラップ上に配置されたカムの表面（２４）と協働することを特徴とする請求項１から請求項３の一つに記載の装置。
【請求項５】
前記フラップ（１８）の開口平面が前記ベースプレートに対して斜め下方に指向され、前記フラップ（１８）が前記ベースプレート（３）の下方に斜めに下降することを特徴とする請求項１から４の一つに記載の装置。
【請求項６】
捕捉装置が、ハブ（１２）および少なくとも一つの刃（１１）を有するローター（９）として設計されていることを特徴とする請求項１から５の一つに記載の装置。
【請求項７】
ハブ（１２）がコインを切り離すための切欠部（１５）を有することを特徴とする請求項６に記載の装置。
【請求項８】
前記フラップ（１８）は、捕捉要素（９）の回転方向に対して横切るように配置された斜面状突起（２１）と、捕捉要素（９）の反回転方向における斜面状突起（２２）とを有することを特徴とする請求項１から７の一つに記載の装置。
【請求項９】
前記捕捉要素（９）が、その回転のために電動機（１０）に接続され、該電動機は、その一部が制御機に接続されていることを特徴とする請求項１から８の一つに記載の装置。
【請求項１０】
前記制御機は、前記捕捉装置（９）の位置を決定するための少なくとも一つのセンサー配列（２６，２７）を含むことを特徴とする請求項９に記載の装置。
【請求項１１】
前記制御機は、前記捕捉要素（９）が前記フラップ（１８）に割り当てられた位置で一時的に停止し、その後さらに移動するように設計されていることを特徴とする請求項９または１０に記載の装置。
【請求項１２】
少なくとも一つ、好ましくは幾つかの回転方向の反転が一時的中断と継続的移動の間で短い時間間隔内に生ずることを特徴とする請求項１１に記載の装置。
【請求項１３】
前記収集容器にスイッチオンセンサーが配置されることを特徴とする請求項１から１２の一つに記載の装置。
【請求項１４】
前記捕捉装置、特に刃（１１）を有する前記ローターが、突起１４若しくは外周表面の肉厚部を含むことを特徴とする請求項１から１３の一つに記載の装置。
【請求項１５】
電動機（１０）が歯車モーターとして設計されていることを特徴とする請求項８から１４の一つに記載の装置。
【請求項１６】
ローター（９）が好ましくはプラスチックから成ることを特徴とする請求項１から１５の一つに記載の装置。
【請求項１７】
筐体（２）、ベースプレート（３）および収集容器（５）が、ロック及び／又はスナップ接続部（４）で組み立てられ得ることを特徴とする請求項１から１６の一つに記載の装置。
【請求項１８】
スーパーマーケット、百貨店および同様の販売店のレジにおける請求項１から１７の一つに記載の装置の使用。
【発明の詳細な説明】
【技術分野】
【０００１】
本発明は、メイン・クレームの前文に係るコイン個別化装置に関する。
【背景技術】
【０００２】
最近、支払機は、例えば、スーパーマーケット等のレジに置かれて、購入された商品等の金銭での換金のために使用が増加している。支払いの合計は、コインの形式で支払機に加えられる。その結果、コインは、未制御・未選別の方法で受領又は収集容器に満たされ、それから直ぐにそれらは個別化され、コイン試験器に移送されなければならない。従って、個別化については、非常に信頼性が求められるので、サイズと厚さに著しい違いがあっても、僅か一枚のコインの信頼出来る移送が確保されることが保証されなければならない。
【０００３】
コインの並び替え及び／又はコイン計数機の個別化装置としては、ドイツ連邦共和国特許公開公報（ＤＥ）４００９０８７号が知られており、この個別化装置では、ベースプレート上で回転可能な穴あきディスクが受領機のシェルの後方に配置され、コインは後方に配置され、コインは穴あきディスクの穴の中に移送される。従って、ベースプレートおよび穴あきディスクは、傾斜して配置される。いずれの場合にも穴あきディスクの穴は、同じ直径であり、詳細に言えば、その直径は、処理される最も大きいコインの種類の直径より僅かに大きいものとなっている。穴あきディスクの厚さは、概略、穴あきディスクより厚いコインがディスクを越えてわずかに突き出るような状態にある。一定の高さにある計数板は、凹部付き当接表面に結合され、穴あきディスクで移送されたコインは、その表面に落ちるか滑り、コンベアー部材によって離れたところに移送される。板バネが、穴あきディスクの前方でこの装置の上部領域に配置される。このバネは、穴あきディスクの反対に直接に設けられている。これに関する限りは、そらせ板として機能している。従って、正しく個別化されず、穴あきディスクの前側から極端に突出するコインが移送されていく。
【発明の開示】
【発明が解決しようとする課題】
【０００４】
本発明の目的は、簡易な構造であり、僅かな設計でコインの個別化を確実に実行し、製造が安価なコイン個別化装置を提供することにある。
【課題を解決するための手段】
【０００５】
本発明の目的は、請求項の前文の特徴と結合して、請求項の特徴部分によって達成される。
【０００６】
フラップが斜めに傾いたベースプレートに配置され、捕捉要素が、ベースプレートの上でコインを捕らえるように配置されている事実から、捕捉要素をさらに誘導するために稼働された捕捉要素と同期して上記フラップが開口し、コインの確実な個別化を可能としている。
【０００７】
有利なさらなる構成と改良は従属クレームに特定された手段によって可能である。
【０００８】
捕捉要素は、ハブおよび少なくとも１枚の刃を備えたローターとして有利に設計されている。ローターは、任意の方法でベースプレートの前方の収集容器内にあるコインをかき回しによって、コインを捕まえる。ローターによるコインの堆積をかき回すことによって、容器の充満状態が、傾斜し、これによって回転で倒れたコインは、空間を有することになる。収容容量は、この方法で増加される。
【０００９】
フラップが捕捉要素を簡易に安価に同期することは、少なくとも一個の突出するカムが捕捉要素上に配置され、また、このカムが、捕捉要素とフラップとの間の同期開口のためにフラップに設けられたカム表面と協働することで達成される。
【発明の効果】
【００１０】
ハブと少なくとも一つの刃を有するローターにとって、コインをハブの領域で切り離すことは有利である。この方法では、刃によって捕捉された余分のコインは、何等の障害なしにコインの山（堆積）に後退する。
【００１１】
捕捉要素を駆動する電動機が電気制御に設けられ、この電気的な制御は、捕捉要素をフラップに割り当てられた位置で一時的に停止して更に移送するが、あるいは停止と継続的な移動との間の回転方向での一又は複数の反転を行い、これによって、捕捉要素の揺れや振動を発生し、余分のコインが振り払われるか、衝撃を獲得するので、捕捉要素のこの動きによりコインの山へ超過したコインを後退させることに特に有利である。
【００１２】
捕捉要素の回転方向、場合によっては反対の回転方向に対して横切って傾斜した突起がフラップに設けられることが有利であり、この構成では、一方で余分なコインは、再び下方に落ち、他方では、個別化されたコインは、フラップとベースプレート間の開口スロットにきれいに誘導される。
【００１３】
最後に、捕捉要素、特に複数刃を有するローターが、その外周表面に突起または肉厚部を有することが有利であり、それによって、特に、収集容器に現存する何個かのコインに対し、突起等の一つが、端に沿ったコインが落下するのを防止し、その結果として、収集容器にある最後のコインも捕捉される。
【発明を実施するための最良の形態】
【００１４】
図１から３に表された本発明に係る装置は、底部が開放されている筐体箱２を備える筐体１と、筐体箱２に斜めに配置され、ロック及び／又はスナップ接続部４により筐体箱２に接続されているベースプレート３と、ロック及び／又はスナップ接続部を介して同様にベースプレート３及び／又は筐体箱２に接続されている収集容器上部５とからなる。収集容器上部は、開口部を部分的に覆うたわみ要素６を有している。スロット７が、コイン挿入に役立ち、箱２に組み込まれている。
【００１５】
図１及び図２に係るベースプレート３には、収集容器上部５に接続されている垂直方向に起立する環状の周壁８が設けられている。上部５の開口を通して挿入され、たわみ要素６によって反らされたコインは、上部５および周壁８内に位置するベースプレート３の領域による限界内で不規則な態様の堆積部として収集される。
【００１６】
傾斜した縁を有する円形の開口部がベースプレートに配置され、このベースプレートには、ローター９として設計された捕捉要素が回転自在に配置されている。ローターは、歯車モーター１０の駆動軸に堅固に接続され、回転に際し、ベースプレート３の傾斜した縁の領域を摺動する。ローター９は、互いに逆の２個のわん曲した刃１１からなり、これら刃はハブ１２に取り付けられている。ローターは、図４の上下により詳細に表されている。ハブ１２は、上部に近接している、言い換えれば、収集容器上部５の方向にあり、また、反対の側には、モーター軸を受けるための突起１３を含んでいる。ローター９は、好ましくはプラスチックから成り、この場合に、筐体１、すなわち筐体箱２、収集容器上部５及びベースプレート３は、プラスチックから成る。刃１１は、共にＳ形に形成され、それらの端部には上方に突出する突起１４が設けられている。その突起は、収集容器５に存在するコインの山をかき回す事に役に立つ。図４から認識され得るように、翼の間のハブ１２は、切り離し部１５を少なくとも一部に含み、すなわち、この領域１５では、そのハブは、最大の非常に小さな程度までベースプレート３を超えて突起している。図４の上側から認識され得るように、ｄｃモーター１０に面している側のハブは、２個の突起のようなカム１６を含み、このカムの機能の方法は、さらに以下で説明される。
【００１７】
ベースプレート３には、周壁８とハブ１２の開口との間のこのベースプレートの上部領域に、凹部１７がベースプレート３の最高点のすぐ近くに隣接して設けられ、この凹部１７内にフラップ１８が係合され、これは図５に詳細に示されている。フラップ１８は、ベースプレート３および／またはモーター締結装置１９に回転可能に取付けられ、このモーター締結装置１９は、枢軸２０を介してベースプレートに接続されている。ベースプレート３から実質的に突出するフラップの面は、二つの傾斜した領域２１、２２を備え、これら領域はローター９の回転方向およびその反対方向に傾斜している。更に、残りの面は、特に、段部２３を示す縁に向かって僅かに湾曲されている。段部２３は、フラップ１８の面とベースプレートの面との間で連続移動が形成されるように、ベースプレート３の下部に係合する。ラグ２４がフラップ１８に横方向に一体に形成されローター９に取り付けられたカム１６と協働してフラップ１８を開口するカム面を形成する。現在、認識され得るように、孔付き部２５がフラップ１８の後端に一体に形成され、この孔付き部内に図示されていない戻りバネの端部が係合し、この戻りバネは、フラップの開口後、これを閉鎖位置に引っ張る。ローターを少なくとも一つの固定位置にセットする通路セッター２６は、ローターのラグ１３に着座される。この通路セッターは、センサー２７によってスキャンされ、このセンサーを、光学センサー、金属通路セッター２６に形成されたホールセンサーとして、あるいは任意の他のセンサーとして設計することができる。このセンサーは、図示されていない制御機に接続され、この制御機は、ローター９を駆動するため歯車モーター１０を制御する。
【００１８】
この制御機は、モーターを始動するとき、ローター９が所定のスタート位置をとるという点で特徴がある。この位置は、通常、フラップ１８のすぐ後方に位置し、この結果、コインはローターの最初の半分の回転ですでに移送され得る。このため上記所定位置は、モーターを停止し且つ切り換える際に移動され、ここで、この所定位置は、例えば、歯付きディスク又はセグメントディスクとして設計された通路セッター２６と結合して、センサー７の信号に基づいて定められる。通常、始動位置としての所定位置は、装置の停止後、ローター９を後方に回転することによって検出されて見出される。
【００１９】
本発明の本質的な特徴は、ローターが、各回転でフラップの前方位置に一時的に停止し、始動し、再び停止し、これら各場合に、一回、あるいは数回僅かに逆回転を行い、これによってローターは、フラップの前で僅かに振動や揺れを行うことにある。刃または翼１１の領域上または領域内に沿って引っ張られるがフラップ１８への指示位置に位置しないコインは、上記揺れや振動手段によってあるいは一時的停止のみによって一回または複数回の衝撃を受け、これによって、コインは、打たれるかあるいは投げられ、コイン堆積部に再び落下する。
【００２０】
この装置の機能態様は、以下の通りである。装置は、外部信号、例えば、収集容器の上部に配置されたスイッチオンセンサーを経て切り換えられ、ここで、ローター９は、前の個別化手順の後、フラップの直ぐ後ろに位置するスタート位置に移動される。このローターまたはローターの刃１１は、ベースプレート３および収集容器上部５の下方領域に配置されたコインの堆積部を通して移動し一つまたは複数のコインを捕捉する。フラップ１８の前方の位置において、制御機は、揺れまたは振動手順を行うように歯車モーター１０を制御し、これによって、翼１１が短い態様であちこち移動され、このため、刃の曲率部に明らかに保持されないコインは、投げられる。ローターは、更に、フラップの方向に移動し、そのカム１６がフラップ１８のカム面２４に沿って摺動し、フラップ１８をベースプレート３に対して下方に下げて開口させる。刃の曲率部に存在するコインは、フラップの斜面状領域を超えて押され、次いで、その面に沿って、フラップとベースプレート３との間のスロット状開口の中に突入する。ローターがフラップを超えて移動すると、カム１６がカム面２４から離れフラップは図示されていない戻しバネのために引っ張られて閉鎖され、手順が最初から開始する。この態様でコイン堆積部のコインは個別化され、たとえ最後のコインがベースプレートに関して縁方向にセットされていても、それらコインは刃１１の端部におけるラグ１４によって捕捉され、このため、収集容器は、最後のコインの落下で空にされる。装置がスイッチオフされた場合、刃１１即ちローター９は、スタート位置が得られるまで、通路セッター２６およびセンサー２７の補助で回転され続ける。スタート時のローターがスタート位置に配置されていない場合、この位置はスイッチオン時に後方移動で検出されコインの未制御排出を作らないようにする。振れ位置は、スタート位置に基づいて決定され、且つこの振れは時間制御移動によって発生される。
【図面の簡単な説明】
【００２１】
【図１】収集容器なしの本発明に係るコイン個別化装置の一つの実施例の斜視図。
【図２】収集容器上部を備える図１の本発明に係る装置の断面図。
【図３】収集容器上部を備える本発明に係る装置の斜視図。
【図４】上下のローターの斜視図。
【図５】本発明に係る装置のベースプレートに設けられたフラップの斜視図。
【符号の説明】
【００２２】
２          筐体
３          ベースプレート
９          捕捉要素
１２        ハブ
１５        切欠部
１８        フラップ
【図１】
2009516874.tif 000003
【図２】
2009516874.tif 000004
【図３】
2009516874.tif 000005
【図４】
2009516874.tif 000006
【図５】
2009516874.tif 000007
【国際調査報告】
2009516874.tif 000008
2009516874.tif 000009
2009516874.tif 000010
2009516874.tif 000011
2009516874.tif 000012
2009516874.tif 000013